(57)【要約】【課題】データを効率良く集計するデータ集計システムを提供する。【解決手段】ユーザに選択された集計対象データ項目名と変換規則名を集計対象データ項目定義ファイルＦ１に保存する手段１１と、タイマ装置から読み出した時間が、特定の時間になったときにデータ集計手段を起動させる手段１２と、その集計対象データに対する最初の集計処理を集計対象データ全体に対して実施し、その集計対象データに対する２回目以降の集計処理を集計済データ情報以降のデータを対象に対して実施し、集計処理終了後は、集計済み位置を集計済データ定義ファイルＦ３に記録する手段１３と、集計されたデータを集計データファイルＦ４に保存する手段１４と、前記変換規則を使って、作成された集計データファイルを文書管理システム１６に登録する手段１５と、を用いてデータを集計する。【選択図】図１
2007299118.tif 000002
【特許請求の範囲】
【請求項１】
時系列データを管理する文書管理システムから該時系列データを取得し集計するデータ集計システムであって、
前記文書管理システムから前記時系列データに関する変換規則及び変換規則名を取得し、その変換規則からデータ項目を取得し、そのデータ項目をユーザに選択させ、その選択されたデータ項目を集計対象データ項目と見做し、集計対象データ項目名と変換規則名を集計対象データ項目定義ファイルに保存するデータ集計画面手段と、
特定の時間を指定され、タイマ装置から時間を読み出し、タイマ装置から読み出した時間が、その特定の時間になったときにデータ集計手段を起動させるデータ集計タイマ手段と、
データ集計タイマ手段から起動された場合、その集計対象データに対する最初の集計処理を集計対象データ項目定義ファイルに定義された変換規則名で示される変換規則に従って、前記文書管理システムに登録された集計対象データ全体に対して実施し、その集計対象データに対する２回目以降の集計処理を集計済データ定義ファイルに記録された集計済データ情報位置のデータを対象に対して実施し、集計処理終了後は、集計済み位置を集計済データ定義ファイルに記録するデータ集計手段と、
そのデータ集計手段によって集計されたデータを集計データファイルに前記変換規則に従って保存する集計データファイル作成手段と、
前記変換規則を使って、集計データファイル作成手段で作成した集計データファイルを前記文書管理システムに登録する集計データファイル登録手段と、
を含むことを特徴とするデータ集計システム。
【請求項２】
前記データ集計画面手段は、ユーザからの指示受けて、データ集計部手段を即時に起動し、
前記データ集計手段がデータ集計画面手段から起動された場合、そのデータ集計画面手段で指定された集計範囲のデータを集計対象として集計処理する、
ことを特徴とする請求項１に記載のデータ集計システム。
【請求項３】
コンピュータで、
時系列データを管理する文書管理システムから該時系列データを取得させ集計させるデータ集計プログラムであって、
前記文書管理システムから前記時系列データに関する変換規則及び変換規則名を取得し、その変換規則からデータ項目を取得し、そのデータ項目をユーザに選択させ、その選択されたデータ項目を集計対象データ項目と見做し、集計対象データ項目名と変換規則名を集計対象データ項目定義ファイルに保存するデータ集計画面ステップと、
特定の時間を指定され、タイマ装置から時間を読み出し、タイマ装置から読み出した時間が、その特定の時間になったときにデータ集計ステップを実行させるデータ集計タイマステップと、
データ集計タイマステップから起動された場合、その集計対象データに対する最初の集計処理を集計対象データ項目定義ファイルに定義された変換規則名で示される変換規則に従って、前記文書管理システムに登録された集計対象データ全体に対して実施し、その集計対象データに対する２回目以降の集計処理を集計済データ定義ファイルに記録された集計済データ位置以降のデータを対象に対して実施し、集計処理終了後は、集計済み位置を集計済データ定義ファイルに記録するデータ集計ステップと、
そのデータ集計ステップによって集計されたデータを集計データファイルに前記変換規則に従って保存する集計データファイル作成ステップと、
前記変換規則を使って、集計データファイル作成ステップで作成した集計データファイルを前記文書管理システムに登録する集計データファイル登録ステップと、
を含むことを特徴とするデータ集計プログラム。
【請求項４】
前記データ集計画面ステップは、ユーザからの指示受けて、データ集計ステップを即時に実行し、
前記データ集計ステップがデータ集計画面ステップから起動された場合、そのデータ集計画面ステップで指定された集計範囲のデータを集計対象として集計処理する、
ことを特徴とする請求項３に記載のデータ集計プログラム。
【発明の詳細な説明】
【技術分野】
【０００１】
本発明は、時系列計測データなどを集計するデータ集計システムに関するものである。
【背景技術】
【０００２】
文書ファイルをそのままの形で蓄積共有する方式として、Ｍｉｃｒｏｓｏｆｔ社のＯＳ（Ｏｐｅｒａｔｉｎｇ  Ｓｙｓｔｅｍ）であるＷｉｎｄｏｗｓ（登録商標）では、サーバ装置の文書フォルダをネットワーク経由で各クライアントが共有する機能を提供している。
【０００３】
また、前記のＷｉｎｄｏｗｓ（登録商標）は、文書フォルダ内で特定のキーワードを含む文書を一括して検索する機能も備えている。前記の文書フォルダの共有には、Ｍｉｃｒｏｓｏｆｔ社固有の通信プロトコルを採用していることが特徴である。なお、検索結果として得られる情報は、キーワードを含む文書ファイルのファイル名のみである。
【０００４】
メディアフュージョン社の「ＤｏｃｕＬａｂｏ」は、文書ファイル内のデータをＸＭＬ（ｅＸｔｅｎｓｉｂｌｅ  Ｍａｒｋｕｐ  Ｌａｎｇｕａｇｅ）形式に変換し、同社のＸＭＬデータベースに格納することによって、データの共有を図る文書管理システム（以下では、第１の文書管理システムという）である（例えば、非特許文献１参照）。
【０００５】
前記のシステムの特徴は、変換後のＸＭＬ形式データは必ず同社のＸＭＬデータベースに格納される点、文書ファイルのＸＭＬ変換を支援する専用のソフトウェアとＸＭＬデータベースの検索結果の文書ファイルへの埋め込みを支援する専用のソフトウェアを用いる点、が知られている。
【０００６】
また、他の文書管理としては、例えば、図８に記載した構成を有する文書管理システム（以下では、第２の文書管理システムという）も知られている。
【０００７】
第２の文書管理システムでは、次のような手順で文書ファイルが登録される。
【０００８】
まず、クライアント装置１から文書ファイルＤ１をデータ登録機能２に送信（あるいは、入力）する。
【０００９】
次に、前記の文書ファイルＤ１は、データ登録機能２のファイル受信部２ａ受信され、更に、属性付データ生成部２ｃに入力される。
【００１０】
次に、変換規則解析部２ｂは、前記の文書ファイルを属性付データへ変換するための変換規則を、クライアント装置１の変換規則作成部１ａから取得する。さらに、前記の変換規則解析部２ｂは、前記の変換規則を解析する。
【００１１】
なお、変換規則作成部１ａは、文書ファイル内のデータをＸＭＬ等の属性付データの文書形式に変換する規則を作成する部である。
【００１２】
文書ファイルからデータを抽出する手段としては、例えば、Ｗｉｎｄｏｗｓ（登録商標）アプリケーションの場合、当該アプリケーションを構成するＣＯＭオブジェクトのメソッドを直接実行することによって、文書ファイルを操作して必要なデータを取得するものである。
【００１３】
次に、属性付データ生成部２ｃは、ファイル受信部２ａで受信した文書ファイルＤ１の内容と変換規則解析部２ｂで解析された変換規則に基づいて属性付データを生成する。
【００１４】
次に、属性付データ出力部２ｄは、属性付データ生成部２ｃで生成した属性付データを共有資源に保管する。
【００１５】
なお、前記のデータ保管部３は、属性付データ出力部２ｄからの属性付データを保管するものある。
【００１６】
また、図示省略されているが、ファイル受信部２ａ，変換規則解析部２ｂ，属性付データ生成部２ｃ，属性付データ出力部２ｄは、サーバ装置に備えられているものとする。
【００１７】
第２の文書管理システムでは、次のような手順で文書ファイルが検索される。
【００１８】
データ保管部３に格納されたＸＭＬ等の属性付データは、データ検索機能４によって検索される。
【００１９】
そして、データ検索機能４は、必要な情報のみを抽出し埋め込んだ文書ファイル、または、ＸＭＬ等の属性付データ、をクライアント装置１に送信する。
【００２０】
第２の文書管理システムにおける第１乃至第４ファイル指定方式を図９乃至図１２に基づいて以下に説明する。なお、図９乃至図１２中で図８中の符号と同じものの説明は省略する。
【００２１】
まず、第１方式は、原本と見做される文書ファイル（以下、オリジナル文書と称する）のスタイル形式を利用して変換規則を作成する方式である。例えば、図９中において、データ登録機能２が、クライアント装置１から送信される文書ファイル（即ち、オリジナル文書）Ｄ１のスタイル定義情報に基づいて変換規則を作成する。
【００２２】
第２方式は、データ登録機能２が、オリジナル文書ファイルのスタイル形式を利用する方式であって、クライアント装置１で作成した該スタイル形式に対応した変換規則ファイル（あるフォーマットに従ったファイル）と文書ファイルを受信し、該文書ファイルを属性付データに変換する方式である。
【００２３】
例えば、図１０中において、クライアント装置１が、文書ファイルＤ１のスタイル形式に対応した変換規則ファイルＲ１を作成する。クライアント装置１は、該変換規則ファイルＲ１と文書ファイルＤ１をデータ登録機能２に対して送信する。データ登録機能は、前記文書ファイルＤ１を属性付データに変換する。
【００２４】
第３方式は、特定のスタイルで作成された文書に関する変換規則ファイルがネットワーク上にある共有資源に保存されていることを前提条件とする方式である。具体的に、前記の方式を図１１に基づいて以下に説明する。クライアント装置１からオリジナル文書ファイルＤ１と、共有可能な変換規則ファイルのネットワークアドレス（ＵＲＩ（Ｕｎｉｆｏｒｍ  Ｒｅｓｏｕｒｃｅ  Ｉｄｅｎｔｉｆｉｅｒ））Ｕ１を指定する。そして、データ登録機能２は、共有可能な変換規則ファイルＲ１のネットワークアドレス（ＵＲＩ）Ｕ１から変換規則ファイルＲ１を取得、解釈し、その変換規則に基づいてクライアント装置１から送信された文書ファイルＤ１を属性付データへ変換する。
【００２５】
第４方式は、オリジナル文書ファイルと変換規則ファイルのグルーピングの指定方式であって、表計算ソフトウェアのように、一つの文書ファイル内に、いくつかの文書シートを保持できるソフトウェアで作成した文書を前提条件とする方式である。
【００２６】
具体的に、前記の方式を図１２に基づいて以下に説明する。一つの文書ファイルＢ内に、オリジナル文書ファイルと変換規則ファイルの内容を文書シートとして記述し、各文書シートがオリジナル文書シートであるか、変換規則文書シートであるか区別可能な識別を与える。この文書シート自身の内容をデータ登録機能２へ送信する。データ登録機能２は、識別子を利用し、文書ファイルＢ内の複数の文書シートからオリジナル文書シート（例えば、符号Ｄ１１で示されたもの）か変換規則文書シート（例えば、符号Ｒ１１で示されたもの）であるか否かを識別し、変換規則文書シートＲ１１を解析し、その変換規則文書シートＲ１１の変換規則に基づいて、オリジナル文書シートＤ１１を属性付データに変換する。
【非特許文献１】株式会社メディアフュージョン、“ＤｏｃｕＬａｂｏ”、［ｏｎｌｉｎｅ］、平成１７年、株式会社メディアフュージョン、［平成１８年２月１３日検索］、インターネット＜ＵＲＬ：ｈｔｔｐ：／／ｗｗｗ．ｍｅｄｉａｆｕｓｉｏｎ．ｃｏ．ｊｐ／ＤｏｃｕＬａｂｏ／ＤｏｃｕＬａｂｏ．ｈｔｍｌ＞
【発明の開示】
【発明が解決しようとする課題】
【００２７】
上述のような文書管理システムの管理対象となる文書情報には、報告書等の文字ベースの文書情報や計測器によって計測された計測データなどの数値ベースの文書情報（以下、計測データ文書と称する）が存在する。特に、計測データは、設備に関する計測データを時系列に扱うことが主であり、例えば、特定の設備に注目した計測データには、同様のデータを多数含むことが多い。
【００２８】
通常、このような時系列に存在する計測データ（以後、時系列計測データと称する）を個別に扱うことは少なく、例えば、設備において、秒単位で計測しているデータを分単位または時間単位または、時間単位以上の単位で集計し、その集計を報告書等に添付して利用する。
【００２９】
上述の文書管理システムでは、共有情報として管理された情報の２次利用として、検索機能を用意している。即ち、この検索機能は、文書情報から必要な情報を検索できるものである。しかし、文書情報に含まれる時系列計測データを集計して利用する場合、必要な情報を検索機能で収集し、その検索された情報を別アプリケーション（例えば、表計算アプリケーション）を介して集計するため、作業効率を下げる要因となっていた。
【００３０】
また、検索の対象となる計測データが多数存在する場合には処理時間が長くなるため、集計データを利用した作業を一時中断していた。このような一時中断によっても、業務効率の低下を招いていた。
【００３１】
本発明は、前記課題に基づいてなされたものであって、データを効率良く集計するデータ集計システムを提供することにある。
【課題を解決するための手段】
【００３２】
本発明は、前記課題の解決を図るために、請求項１記載の発明は、時系列データを管理する文書管理システムから該時系列データを取得し集計するデータ集計システムであって、前記文書管理システムから前記時系列データに関する変換規則及び変換規則名を取得し、その変換規則からデータ項目を取得し、そのデータ項目をユーザに選択させ、その選択されたデータ項目を集計対象データ項目と見做し、集計対象データ項目名と変換規則名を集計対象データ項目定義ファイルに保存するデータ集計画面手段と、特定の時間を指定され、タイマ装置から時間を読み出し、タイマ装置から読み出した時間が、その特定の時間になったときにデータ集計手段を起動させるデータ集計タイマ手段と、データ集計タイマ手段から起動された場合、その集計対象データに対する最初の集計処理を集計対象データ項目定義ファイルに定義された変換規則名で示される変換規則に従って、前記文書管理システムに登録された集計対象データ全体に対して実施し、その集計対象データに対する２回目以降の集計処理を集計済データ定義ファイルに記録された集計済データ情報位置のデータを対象に対して実施し、集計処理終了後は、集計済み位置を集計済データ定義ファイルに記録するデータ集計手段と、そのデータ集計手段によって集計されたデータを集計データファイルに前記変換規則に従って保存する集計データファイル作成手段と、前記変換規則を使って、集計データファイル作成手段で作成した集計データファイルを前記文書管理システムに登録する集計データファイル登録手段と、を含むことを特徴とするデータ集計システム。
【００３３】
請求項２記載の発明は、請求項１記載の発明において、前記データ集計画面手段は、ユーザからの指示受けて、データ集計部手段を即時に起動し、前記データ集計手段がデータ集計画面手段から起動された場合、そのデータ集計画面手段で指定された集計範囲のデータを集計対象として集計処理する、ことを特徴とする。
【００３４】
請求項３記載の発明は、コンピュータで、時系列データを管理する文書管理システムから該時系列データを取得させ集計させるデータ集計プログラムであって、前記文書管理システムから前記時系列データに関する変換規則及び変換規則名を取得し、その変換規則からデータ項目を取得し、そのデータ項目をユーザに選択させ、その選択されたデータ項目を集計対象データ項目と見做し、集計対象データ項目名と変換規則名を集計対象データ項目定義ファイルに保存するデータ集計画面ステップと、特定の時間を指定され、タイマ装置から時間を読み出し、タイマ装置から読み出した時間が、その特定の時間になったときにデータ集計ステップを実行させるデータ集計タイマステップと、データ集計タイマステップから起動された場合、その集計対象データに対する最初の集計処理を集計対象データ項目定義ファイルに定義された変換規則名で示される変換規則に従って、前記文書管理システムに登録された集計対象データ全体に対して実施し、その集計対象データに対する２回目以降の集計処理を集計済データ定義ファイルに記録された集計済データ位置以降のデータを対象に対して実施し、集計処理終了後は、集計済み位置を集計済データ定義ファイルに記録するデータ集計ステップと、そのデータ集計ステップによって集計されたデータを集計データファイルに前記変換規則に従って保存する集計データファイル作成ステップと、前記変換規則を使って、集計データファイル作成ステップで作成した集計データファイルを前記文書管理システムに登録する集計データファイル登録ステップと、を含むことを特徴とする。
【００３５】
請求項４記載の発明は、請求項３記載の発明において、前記データ集計画面ステップは、ユーザからの指示受けて、データ集計ステップを即時に実行し、前記データ集計ステップがデータ集計画面ステップから起動された場合、そのデータ集計画面ステップで指定された集計範囲のデータを集計対象として集計処理する、ことを特徴とする。
【００３６】
前記の請求項１及び３の発明によれば、タイマ装置を利用したデータ集計の実行時間を制御できる。集計済み位置を記録できる。
【００３７】
前記の請求項２及び４の発明によれば、ユーザが、集計範囲を指定し、データ集計手段を即時に起動できる。
【発明の効果】
【００３８】
以上示したように請求項１及び３の発明によれば、文書管理システムに管理される時系列計測データの集計を実施できる。タイマ装置を利用したデータ集計の実行時間を制御できるため、例えば、営業時間外（例えば、夜間）に集計処理を実行させることができる。また、指定時間に集計処理を完了しなかった場合、次回の集計処理では、前回に集計済みの箇所を飛ばして、継続して集計できる。
【００３９】
請求項２及び４の発明によれば、ユーザが、即時に、集計結果を取得できる。
【００４０】
これらを以って集計システムの分野に貢献できる。
【発明を実施するための最良の形態】
【００４１】
以下、本発明の実施の形態におけるデータ集計システムを図面等に基づいて詳細に説明する。
【００４２】
本実施形態の構成を図１に基づいて説明する。なお、図示省略されているが、以下の符号１から６に示される部は、制御部（例えば、パーソナルコンピュータのＯＳ（Ｏｐｅｒａｔｉｎｇ  Ｓｙｓｔｅｍ）またはＣＰＵ（Ｃｅｎｔｒａｌ  Ｐｒｏｃｅｓｓｉｎｇ  Ｕｎｉｔ））によって制御される。
【００４３】
図１中のデータ集計システム１００は、データ集計ＧＵＩ部１１，データ集計タイマ部１２，データ集計部１３，集計データファイル作成部１４，集計データファイル登録部１５から構成される。
【００４４】
データ集計ＧＵＩ（Ｇｒａｐｈｉｃａｌ  Ｕｓｅｒ  Ｉｎｔｅｒｆａｃｅ）部１１は、上述の文書管理システム（図１中では、符号１６で示すもの）に、ユーザが文書を登録する際に作成する変換規則からデータ項目を取得し、そのデータ項目から集計対象（即ち、集計対象データ項目）を選択し、ユーザが設定した内容（例えば、変換規則名，集計対象データ項目名）を集計対象データ項目定義ファイルＦ１に出力する部である。
【００４５】
また、データ集計ＧＵＩ部１１は、データ集計部１３を手動で起動する機能（以下、手動起動機能と称する）を有する。本実施形態によるデータ集計は、基本的に、データ集計タイマ部１２からデータ集計部１３が自動起動されて自動集計される。
【００４６】
例えば、データ集計ＧＵＩ部１１が提供する手動起動機能によって、利用者が指定する任意タイミングで集計を実施できる。即ち、時系列データを集計しようとした場合、集計開始時間情報（例えば、２００６年１月１日  ０時００分００秒）を指定できる。
【００４７】
データ集計タイマ部１２は、予め備えられたタイマ装置（例えば、パーソナルコンピュータに内蔵されたタイマ装置）から時間を読み出し、特定の時間を指定（即ち、起動時間指定）し、その時間にデータ集計部１３を自動起動させる部である。または、データ集計タイマ部１２は、一定の経過時間を指定（起動時間間隔指定）し、その経過時間経過後にデータ集計部１３を自動起動させるためのタイマー管理を実施する部である。なお、起動時間、起動時間間隔は、起動時間定義ファイルＦ２より取得するものとする。
【００４８】
データ集計部１３は、本実施形態の主要部分であって、データ集計ＧＵＩ部１１、または、データ集計タイマ部１２から起動され、データ集計ＧＵＩ部１１で作成及び保存された集計対象データ項目定義ファイルＦ１の内容に従って集計対象データに対して集計処理を実施する部である。なお、集計対象データ項目定義ファイルＦ１が存在しない場合は、集計処理は実施しないものとする。
【００４９】
集計処理は、その集計処理が最初の集計処理か、２回目以降の集計処理か、によって大きく処理方法が分かれる。
【００５０】
最初の集計処理は、集計対象データ項目定義ファイルＦ１に定義されている変換規則名の示す変換規則に従って、上述の文書管理システム１６に登録された集計対象データ全体に対して実施される。
【００５１】
２回目以降の集計処理は、後述する集計済データ定義ファイルＦ３に記録されている集計済データ情報以降のデータを対象に対して実施される。
【００５２】
なお、最初の集計処理か否かを判断する条件は、所定の集計済みデータ定義ファイルＦ３が存在しているか否かをもって判断する。即ち、集計済みデータ定義ファイルＦ３が存在していない場合は、最初の集計処理である。集計済みデータ定義ファイルＦ３が存在してる場合は、２回目以降の集計処理である。
【００５３】
また、データ集計部１３が、データ集計ＧＵＩ部１１によって手動起動された場合は、最初、２回目以降の集計処理に関らず、データ集計ＧＵＩ部１１で指定されたデータ（例えば、時系列データを集計する場合は時間情報）以降のデータを集計対象とする。さらに、データ集計ＧＵＩ部１１によって手動起動された場合は、後述する集計済データ定義ファイルＦ３に対する集計済データの記録を行わないものとする。
【００５４】
集計処理終了後は、上述の文書管理システム１６に登録されている時系列データに対する集計済み位置（即ち、どこまでを集計したのか）を集計済データ定義ファイルＦ３に（例えば、時間情報等）を記録する。
【００５５】
データ集計部１３における集計処理を図２に基づいて詳細に説明する。
【００５６】
まず、データ集計ＧＵＩ部１１またはデータ集計タイマ部１２から起動された後、文書管理システム１６の動作（起動しているか、否か）を確認する（Ｓ１１，Ｓ１２）。
【００５７】
確認した結果、文書管理システム１６が起動済みであれば、ステップＳ１４に進む。文書管理システム１６が起動していなければ、ステップＳ１３に進み文書管理システム１６を起動する。
【００５８】
次に、集計対象データ項目定義ファイルＦ１（例えば、図３中の集計対象データ項目定義ファイルＦ１）に関するオープン処理を行う（Ｓ１４）。
【００５９】
次に、そのオープン処理の結果によって、集計対象データ項目定義ファイルＦ１が存在しているか否か、を確認する（Ｓ１５）。
【００６０】
次に、オープン処理の結果、集計対象データ項目定義ファイルＦ１が存在していなかった場合は、処理を終了する。集計対象データ項目定義ファイルＦ１が存在していた場合は、集計対象データ項目定義ファイルＦ１を開き、ファイル内に定義されている集計対象データ項目及び集計単位情報を取得する（Ｓ１６）。なお、集計単位情報とは、例えば、集計対象データが秒単位の時系列計測データの場合、分、時、日などの集計を実施する時間単位を示す。
【００６１】
次に、データ集計部１３の起動方法を確認する（Ｓ１７）。その起動方法が、データ集計タイマ部１２から起動された方法であれば、ステップＳ１８へ進む。その起動方法が、データ集計ＧＵＩ部１１から起動された方法であれば、ステップＳ２４へ進む。
【００６２】
以下に、ステップＳ１８以降の処理を説明する。
【００６３】
ステップ１８及びＳ１９では、集計済データ定義ファイルＦ３に関するオープン処理を行う。
【００６４】
次に、集計済データ定義ファイルＦ３に関するオープン処理の結果、集計済データ定義ファイルＦ３が存在していれば、ステップＳ２０へ進む。集計済データ定義ファイルＦ３が存在していなければ、ステップＳ２１へ進む。
【００６５】
集計済データ定義ファイルＦ３から既に集計が実施されているデータについての情報を取得するし、集計開始位置を決定し、その集計開始位置以降を集計対象データと見做し、文書管理システム１６からその集計対象データを取得する（Ｓ２０）。
【００６６】
ただし、集計処理は、以下の処理手順に従い行うものとする。これにより、既に集計したデータとの整合性を取る。
【００６７】
例えば、以下のように集計する（Ｓ２２）。
【００６８】
集計済データ定義ファイルＦ３に「２００６／１／１０  １１：１１：１１」と記録されており、かつ、秒単位の時系列計測データを分、時、日などの時間単位で集計する（即ち、分単位集計データ処理、時単位集計データ処理、日単位集計データ処理を行う）場合、文書管理システム１６によって登録されている情報から「２００６／１／１０  １１：１１：００」から「２００６／１／１０  １１：１１：５９」に対応するデータ（即ち、集計済データ定義ファイルＦ３に定義されている時間情報の分を軸とするデータ）を取得する。
【００６９】
次に、取得した集計対象データを設備毎に集計し、「２００６／１／１０」の「１１：１１」の分単位の集計データと見做す処理（即ち、分単位集計データ処理）を行う。
【００７０】
次に、登録されているデータの分だけ順次に分単位集計データ処理を繰り返す。例えば、次は、「２００６／１／１０  １１：１２：００」から「２００６／１／１０  １１：１２：５９」の範囲が処理される。
【００７１】
次に、分単位データ集計処理が終了したら、同様の手順で時、日などの単位データ集計処理を行う。例えば、時単位に集計する場合は集計済データ定義ファイルＦ３に定義されている時間情報の時部分を、日単位で集計する場合は日部分を軸とする。
【００７２】
なお、集計済データ定義ファイルＦ３が存在しない場合は、文書管理システム１６に現在登録されている全データを取得し（Ｓ２１）、その全データ中最も時間的に古いデータを基準として分，時，日単位データ集計処理を実施する（Ｓ２２）。
【００７３】
そして、集計処理の後、集計対象となったデータ中最新の日時の情報を、集計済データ定義ファイルＦ３に出力して（Ｓ２３）処理を終了する。
【００７４】
データ集計部１３がデータ集計ＧＵＩ部１１から起動された場合は、データ集計ＧＵＩ部１１で指定された時間以降のデータを取得し（Ｓ２４）、その取得したデータを対象として分、時、日単位データ集計処理を実施して処理を終了する（Ｓ２５）。
【００７５】
集計データファイル作成部１４は、集計元となったデータ（以後、集計元データと称する）が文書管理システム１６に登録された際に使用された変換規則に従って、データ集計部１３によって集計されたデータを集計データファイルＦ４に保存する。
【００７６】
例えば、集計元データが、秒単位の時系列データで集計処理を分単位で行った場合、ファイル形式は秒単位のものと同一となり、時間単位のみ「秒」から「分」に変更され、値が１分間に対する集計値となる。
【００７７】
集計データファイル作成部１４における処理を更に詳述する。
【００７８】
データ集計部１３で集計されたデータを、集計元データ（例えば、秒単位の時系列計測データ）を文書管理システム１６に登録した際に使用した変換規則に従ってファイルとして作成する。
【００７９】
ファイル作成方法は、例えば、集計単位が分単位の場合は分毎にファイルを作成する。例えば、図４において、「２００６／１／１０  １１：１１」分台の設備毎の分単位集計データをファイルＦ４１として作成し、「２００６／１／１０  １１：１２」分台の設備毎の分単位集計データをファイルＦ４２として作成する、という具合にファイルを作成していく。
【００８０】
また、図５において、時単位の場合は時毎（例えば、「２００６／１／１０  １１」時台の設備毎の時単位集計データをファイルＦ４３として作成し、「２００６／１／１０  １２」時台の設備毎の時単位集計データをファイルＦ４４として作成する、という具合にファイルを作成していく。
【００８１】
集計データファイル登録部１５は、集計元データを文書管理システム１６に登録した時に利用した変換規則を使い、集計データファイル作成部１４で作成した集計データファイルＦ４を文書管理システム１６に登録する。この登録によって集計された情報を共有利用できる。
【００８２】
ただし、登録する集計データファイルと同名のファイルが既に登録されている場合は、既に登録されているものを一旦削除し、その後に登録処理を実施する。これにより、集計データの重複登録を防ぐ事が可能となる。
【００８３】
文書管理システム１６は、上述の文書管理システムである。
【００８４】
以上のデータ集計システムに関する方法をコンピュータプログラムとして記述し、コンピュータに実行させることによって、データ集計システムを実現できる。
【００８５】
また、以上のデータ集計システムに関する方法を記述したコンピュータプログラムを、データ集計システムに関する方法に必要とされる入出力データを格納したメモリや外部記憶装置等にアクセスするように実装してもよい。
【００８６】
次に、本実施形態に関する実施例を説明する。
【００８７】
［実施例］
実施例では、データ集計タイマ部１２を一般的なアプリケーション方式（例えば、ＥＸＥファイル方式）で実装する。なお、タイマ定義は、タイマ定義外部ファイル（即ち、起動時間定義ファイルＦ２）にて定義し、この定義ファイルの内容に従ってデータ集計部１３の起動を制御する。
【００８８】
タイマ定義外部ファイルには、データ集計部１３の起動時間を確認するための時間確認間隔をミリ秒単位で指定するタイマ時間（即ち、データ集計部１３を周期的に起動する特定の時間間隔（毎日もしくは曜日指定）または起動時間）が記述される。そのタイマ時間に基づいてデータ集計部１３は起動される。
【００８９】
タイマ外部定義ファイルの一例を図６中の符号Ｆ５及び図７中の符号Ｆ６に示す。なお、図６では、３０秒おきに時間確認を実施し、１０分間隔でデータ集計部１３を起動させることを指定している。図７では、３０秒おきに時間確認を実施し、月〜金曜日の午前１時００分００秒でデータ集計部１３を起動させることを指定している。
【００９０】
本実施例による利点は、利用者の所望する任意の形でのタイマ管理が実現できる事である。
【００９１】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００９２】
例えば、本実施形態の変形としては、上述の集計対象データ項目定義ファイル，起動時間定義ファイル，集計単位データファイル，集計済データ定義ファイル，集計データファイルをデータベースにテーブルとして作成し、そのテーブルにアクセスして集計処理を行うこともできる。
【００９３】
また、集計対象データ項目定義ファイル，起動時間定義ファイル，集計単位データファイル，集計済データ定義ファイルをＸＭＬ形式ファイルとして作成しても良い。
【図面の簡単な説明】
【００９４】
【図１】本実施形態におけるデータ集計システムの構成図。
【図２】本実施形態におけるデータ集計処理フローチャート。
【図３】本実施形態における集計対象データ項目定義ファイルの一例を示す図。
【図４】本実施形態における集計データファイルの一例を示す図。
【図５】本実施形態における集計データファイルの他例を示す図。
【図６】実施例におけるタイマ外部定義ファイルの一例を示す図。
【図７】実施例におけるタイマ外部定義ファイルの他例を示す図。
【図８】文書管理システムの構成の一例を示す図。
【図９】オリジナル文書ファイルの指定方式の概略図。
【図１０】オリジナル文書ファイルと変換規則ファイルの指定方式１の概略図。
【図１１】オリジナル文書ファイルと変換規則ファイルの指定方式２の概略図。
【図１２】オリジナル文書ファイルと変換規則ファイルのグルーピングの指定方式の概略図。
【符号の説明】
【００９５】
１…クライアント装置
１ａ…変換規則作成部
２…データ登録機能
２ａ…ファイル受信部
２ｂ…変換規則解析部
２ｃ…属性データ生成部
２ｄ…属性データ出力部
３…データ保管部
４…データ検索機能
１１…データ集計ＧＵＩ部
１２…データ集計タイマ部
１３…データ集計部
１４…集計データファイル作成部
１５…集計データファイル登録部
１６…文書管理システム
１００…データ集計システム
ＡＤ１…属性付きデータ
Ｂ，Ｄ１，Ｄ２…文書ファイル
Ｄ１１，Ｄ１２，Ｄ１３…文書シート
Ｆ１…集計対象データ項目定義ファイル
Ｆ２…起動時間定義ファイル
Ｆ３…集計済データ定義ファイル
Ｆ４，Ｆ４１，Ｆ４２，Ｆ４３，Ｆ４４…集計データファイル
Ｆ５，Ｆ６…タイマ外部定義ファイル
Ｒ１…変換規則ファイル
Ｒ１１，Ｒ１２，Ｒ１３…変換規則文書シート
Ｕ１…変換規則のＵＲＩ
【図１】
2007299118.tif 000003
【図２】
2007299118.tif 000004
【図３】
2007299118.tif 000005
【図４】
2007299118.tif 000006
【図５】
2007299118.tif 000007
【図６】
2007299118.tif 000008
【図７】
2007299118.tif 000009
【図８】
2007299118.tif 000010
【図９】
2007299118.tif 000011
【図１０】
2007299118.tif 000012
【図１１】
2007299118.tif 000013
【図１２】
2007299118.tif 000014